(57)【特許請求の範囲】
【請求項１】
スキー場に架設した索道設備の内、スキーヤーやボーダーを輸送するための箱型客車を用いた搬器であって、該搬器にスキーヤーあるいはボーダーが乗車する際、取り外したスキーあるいはスノーボードを収納するための客車に装着したラックは、
縦方向に複数のスリットを形成した前板と平面視で該前板のスリットに対応する位置に縦方向に複数のスリットを形成した背板と下部にロックホールを穿孔した左右の側板および底板とで箱形に構成したラックケースと、
下部にロックホールを穿孔し、前記前板と背板に形成したスリットの間に挿入する複数のセルボードと、
前記ラックケースを客車へ固定するための上ラックバーおよびロックホールが穿孔されたフランジを固着した下ラックバーと、
前記ラックケースと複数のセルボードおよび下ラックバーに固着されたフランジにそれぞれ穿孔されたロックホールに貫通させるロックピンとよりなり、
前記複数のセルボードの挿入位置を変えることでスキーを収納する空間部とスノーボードを収納する空間部を可変幅に確保できるようにすると共に、前記ラックケースを前記客車に取り付けた上ラックバーと下ラックバーへ前記ロックピンで固定するようにしたことを特徴とする索道搬器の可変幅スキーボードラック。
【発明の詳細な説明】
【０００１】
【発明の属する技術分野】
本発明はスキー場に架設した客車式搬器でスキーヤーあるいはボーダーを輸送する索道で、乗客のスキーあるいはスノーボードを収納するための客車に取り付けるスキーボードラックに関する。
【０００２】
【従来の技術】
近年、スキー場では従来からのスキーヤーに加えてスノーボードで滑走する所謂ボーダーと称する来場者が年毎に増加している。また、多種の形状のスキーやスノーボードがユーザに提供されるようになっている。この為に、スキー場に架設する索道設備においても、こうした、スキーやスノーボードを使用する乗客を輸送するための対応が求められるようになっている。
【０００３】
こうした索道設備の内で特に６〜８名の客車式搬器を複数用いて乗客を輸送するゴンドラリフトの場合には、乗客即ちスキーヤーやボーダーは搬器への乗車に際してはスキーやスノーボードを足から外して客車の外部に備え付けられたスキーボードラックに収納後、客車内へ乗り込む。降車に際しては、客車内から退出後、スキーボードラックに収納されたスキーやスノーボードをスキーボードラックから取り出す。この様にして、ゴンドラリフトの停留場でスキーヤーやボーダーが搬器へ乗降する。
【０００４】
図１１、図１２は従来のゴンドラリフトの搬器の客車４０に備え付けられたスキー３０やスノーボード３１を収納するためのスキーボードラック５０を説明した図である。通常、ゴンンドラリフトの客車４０では２つの扉４１，４１にそれぞれスキーボードラック５０，５０が取り付けられている。図１２はこの内の一方のスキーボードラック５０の平面図である。
【０００５】
スキーボードラック５０は前後に位置する前板５１および背板５２と左右に位置する側板５３，５３で囲まれた箱型の空間部を紙面で左右方向に並べた間仕切り５４，５４，５４と前後方向に並べられた間仕切り５５，５５とで紙面上部の奥側に４箇所のスキー収納部５６，５６，５６，５６と紙面下部の前側に２箇所のボード収納部５７，５７を設けた構成となっている。従って、図１１で示す様に、スキーヤーが客車４０に乗車する際にはスキー３０はスキーボードラック５０の奥側のスキー収納部５６，５６，…へ収納し、ボーダーが客車４０に乗車する際にはスノーボード３１はスキーボードラック５０の手前側のボード収納部５６，５６へ収納する。
【０００６】
【発明が解決しようとする課題】
上記した様に、従来の客車４０に取り付けられたスキーボードラック５０は内部空間が固定的に間仕切りされており、近時市場に提供されてきた多種のスキー３０あるいはスノーボード３１の形状に対応し難く、又使用途中のスキーボードラック５０の改造はコスト高になる問題があった。本発明の課題は前記した多種のスキーやスノーボードの形状に柔軟に対応できる構造の客車に取り付けるスキーボードラックを提供することにある。
【０００７】
【課題を解決するための手段】
本発明は上記した課題を解決するために、スキー場に架設した索道設備の内、スキーヤーやボーダーを輸送するための箱型客車を用いた搬器であって、該搬器にスキーヤーあるいはボーダーが乗車する際、取り外したスキーあるいはスノーボードを収納するための客車に装着したラックは、縦方向に複数のスリットを形成した前板と平面視で該前板のスリットに対応する位置に縦方向に複数のスリットを形成した背板と下部にロックホールを穿孔した左右の側板および底板とで箱形に構成したラックケースと、下部にロックホールを穿孔し、前記前板と背板に形成したスリットの間に挿入する複数のセルボードと、前記ラックケースを客車へ固定するための上ラックバーおよびロックホールが穿孔されたフランジを固着した下ラックバーと、前記ラックケースと複数のセルボードおよび下ラックバーに固着されたフランジにそれぞれ穿孔されたロックホールに貫通させるロックピンとよりなり、前記複数のセルボードの挿入位置を変えることでスキーを収納する空間部とスノーボードを収納する空間部を可変幅に確保できるようにすると共に、前記ラックケースを前記客車に取り付けた上ラックバーと下ラックバーへ前記ロックピンで固定するようにする。
【０００８】
【発明の実施の形態】
以下、本発明の一実施の形態を図面を用いて説明する。図１は可変幅スキーボードラック６，６を装備した搬器１の側面図であり、図２は図１の正面図を示す。搬器１は支曳索７を握放索する握索装置２にサスペンダー３で客車４を吊り下げた構成である。客車４の側面には２つの扉５，５が連動して開閉可能に設けられている。かかる各々の扉５，５の下部には本発明の可変幅スキーボードラック６，６を備え付けている。図１，図２に示した搬器１は詳細は後述する可変幅スキーボードラック６，６がスキー収納状態１０Ａ，１０Ａとされてスキー３０，３０，…を収納した場合を示している。
【０００９】
つぎに、図３〜図８は前記した本発明の一方の可変幅スキーボードラック６の詳細な構成を示す。ラックケース１０は前板１１と背板１２と左右の側板１３，１３および底板１０ａとで断面が長方形中空状の箱型に形成する。ラックケース１０の上端部周縁には板部材で顎部１５を水平に延出して固着する。図７、図８で示す様に前記前板１１と背板１２にはそれぞれ対向する同じ位置にあって、かつ、スキー３０の幅の１／３程度の間隔で断面が凹型の複数本のセルスリット１１ａ，１１ａ，…及びセルスリット１２ａ，１２ａ，…を縦方向に切刻して形成する。また、前記左右の側板１３，１３の下部には水平な同芯上にそれぞれロックホール１３ａ，１３ａを穿孔する。
【００１０】
つづいて、ラックケース１０の内部空間を仕切るセルボード１４は薄板を長方形にし、下部には前記側板１３，１３に穿孔したロックホール１３ａ，１３ａと同芯上に位置するようにロックホール１４ａを穿孔する。かかる複数のセルボード１４，１４，…を図５、図７で示す如くラックケース１０の前板１１のスリット１１ａ，１１ａ，…と対向して同位置にある背板１２のスリット１２ａ，１２ａ，…の間にそれぞれ挿入してラックケース１０内の空間を複数に分割して仕切るようにする。図７はスキー３０，３０，…を収納するためにラックケース１０には３枚のセルボード１４，１４，１４を挿入してラックケース１０内の空間を横方向に４分割し、スキー収納状態１０Ａとしたものである。また、ラックケース１０の前板１１部分のほぼ中央には断面が鍵型で正面視で略凹型のプレートケース１６を貼着する。プレートケース１６にはラックケース１０に収納可能なスキー３０、あるいはスノーボード３１の区別を表示するためにタスクプレート１７を差し込む。かかるタスクプレート１７には例えば、スキーやスノーボードの図柄を描いたスキー用タスクプレート１７Ａあるいはボード用タスクプレート１７Ｂを用いることで、乗客や係員にラックケース１０に収納できるものを容易に識別できるようにすれば良い。
【００１１】
図６は搬器１の客車４の扉５にラックケース１０を固定するための上ラックバー１８と下ラックバー２０を示す。上ラックバー１８は丸棒をラックケース１０を囲むように”コ”の字状に折り曲げ、両端部に角形板部材を用いた取付部材１９，１９を固着したものである。下ラックバー２０は上ラックバー１８よりやや長い丸棒を用いて同形に”コ”の字状に折り曲げ、両端部には上ラックバー１８と同様に取付部材２１，２１を固着し、更に、ラックケース１０のロックホール１３ａ，１３ａと同芯上に位置するロックホール２２ａ，２２ａを穿けた角型のフランジ２２，２２を下方に延出して固着する。
【００１２】
客車４の２つの扉５，５にはそれぞれ同形の可変幅スキーボードラック６，６を備え付ける。図３，図４はこの内の一方の可変幅スキーボードラック６を扉５の下部に備え付けた状態を示した側面図および正面図である。扉５の下部に上ラックバー１８と下ラックバー２０を各々取付部材１９，１９および取付部材２１，２１の箇所でビス等を用いて取り付けるようにする。その後、ラックケース１０を上ラックバー１８と下ラックバー２０で抱えられるようにして装着する。
【００１３】
この時、ラックケース１０の上端部周縁にある顎部１５が上ラックバー１８に当接する。また、下ラックバー２０のフランジ２２，２２に穿けたロックホール２２ａ，２２ａとラックケース１０に穿けたロックホール１３ａ，１３ａとを同芯上に位置させる。また、ラックケース１０内に挿入したセルボード１４，１４，…に穿けたロックホール１４ａ，１４，…も上記ロックホール２２ａ，２２ａおよびロックホール１３ａ，１３ａと同芯上に位置させるようにする。
【００１４】
その後、止め板２４を端部に固着したロックピン２３を下ラックバー２０の一方側のフランジ２２に穿けたロックホール２２ａから順番に、ラックケース１０の一方側のロックホール１３ａ、続けて、各セルボード１４，１４，…のロックホール１４ａ，１４ａ，…、前記ラックケース１０の他方側のロックホール１３ａを通し、再び、下ラックバー２０の他方側のフランジ２２に穿けたロックホール２２ａにまで貫通させるようにする。こうして、ラックケース１０および内部に挿入したセルボード１４，１４，…を客車４の扉５から抜け落ちないように固定する。
【００１５】
図９、図１０は可変幅スキーボードラック６にスノーボード３１を収納した状態を示した搬器１の側面図および正面図である。この場合には図８に示す様に、ラックケース１０の前板１１に設けたセルスリット１１ａ，１１ａ…と対向する位置にある背板１２に設けたセルスリット１２ａ，１２ａ，…の間に２枚のセルボード１４，１４を挿入してラックケース１０内の空間を横方向に３分割してボード収納状態１０Ｂとする。かかる、ラックケース１０を前記と同様に扉５に取り付けた上ラックバー１８と下ラックバー２０へ装着した後、再び下ラックバー２０とラックケース１０およびセルボード１４，１４，…にロックピン２３を貫通させてラックケース１０および内部に挿入したセルボード１４，１４が抜け落ちないように固定する。さらに、ラックケース１０に貼着したプレートケース１６にスノーボードの図柄を描いたボード用タスクプレート１７Ｂを差し込み、ラックケース１０がボード収納状態１０Ｂであることを乗客や係員に識別できるように表示する。
【００１６】
上記したラックケース１０の前板１１および背板１２に切刻したセルスリット１１ａ，１１ａ，…およびセルスリット１２ａ，１２ａ，…の本数と間隔は任意に設定可能であり、また、ラックケース１０にセルボード１４，１４，…を挿入する枚数および位置についても前記の説明に限定されることなく任意に設定できることは勿論可能である。
【００１７】
【発明の効果】
従来のゴンドラリフト等の客車式搬器に備え付けられたスキーあるいはスノーボードを収納するためのラックは内部の間仕切りが固定されており、一定以上の幅がある異形のスキーやスノーボードを収納することが不可能な場合があった。また、これに対応するためた搬器の運用途中でスキーボードラックの改造を行うには相当の費用と労力を必要とした。
【００１８】
これに対して、本発明の可変幅スキーボードラックはラックケースにセルボードを任意の位置および間隔で挿入でき、挿入位置の変更も容易に行え、しかもロックピンの抜き差しでラックケースを客車の扉から簡単に着脱できる。これにより、近時ユーザに供給される多種のスキーやスノーボードの形状に容易に、しかも迅速に対応することが可能であり、従来のようにスキーボードラックの改造を行う必要はなく、従って、改造に係わる費用の削減および作業性の向上を計ることができる効果がある。
【図面の簡単な説明】
【図１】本発明の可変幅スキーボードラックを客車の扉に備え付け、スキーを収納した搬器の側面図である。
【図２】図１の本発明の可変幅スキーボードラックを客車の扉に備え付け、スキーを収納した搬器の正面図である。
【図３】図１の搬器の客車の扉に備え付けた本発明の一方の可変幅スキーボードラックの正面図である。
【図４】図３の客車の扉に取り付けた本発明の一方の可変幅スキーボードラックの側面図である。
【図５】本発明の可変幅スキーボードラックを構成するラックケースとセルボードおよびタスクプレートの構成を説明した斜視図である。
【図６】図５のラックケースを客車の扉に固定するための上ラックバーと下ラックバーおよびロックピンの形状を説明した斜視図である。
【図７】図５のラックケースのセルスリットに３枚のセルボードを挿入してラックケース内を４分割し、スキー収納状態を説明したラックケースの平面図である。
【図８】図５のラックケースのセルスリットに２枚のセルボードを挿入してラックケース内を３分割し、ボード収納状態を説明したラックケースの平面図である。
【図９】本発明の可変幅スキーボードラックを客車の扉に備え付け、スノーボードを収納した搬器の側面図である。
【図１０】図９の本発明の可変幅スキーボードラックを客車の扉に備え付け、スノーボードを収納した搬器の正面図である。
【図１１】従来のスキーボードラックを客車の扉に備え付け、スキーを収納した搬器の側面図である。
【図１２】図１１の従来のスキーボードラックの構造を説明したスキーボードラックの平面図である。
【符号の説明】
１  搬器
２  握索装置
３  サスペンダー
４  客車
５，５  扉
６，６  可変幅スキーボードラック
７  支曳索
１０，１０  ラックケース
１０Ａ  スキー収納状態
１０Ｂ  ボード収納状態
１０ａ  底板
１１  前板
１１ａ，１１ａ，…セルスリット
１２  背板
１２ａ，１２ａ，…セルスリット
１３，１３  側板
１３ａ，１３ａ  ロックホール
１４，１４，…  セルボード
１４ａ，１４ａ，…ロックホール
１５  顎部
１６  プレートケース
１７  タスクプレート
１７Ａ  スキー用タスクプレート
１７Ｂ  ボード用タスクプレート
１８  上ラックバー
１９，１９  取付部材
２０  下ラックバー
２１，２１  取付部材
２２，２２  フランジ
２２ａ，２２ａ  ロックホール
２３  ロックピン
２４  止め板
３０，３０，…  スキー
３１，３１，…  スノーボード
４０  客車
４１，４１  扉
５０  スキーボードラック
５１  前板
５２  背板
５３，５３  側板
５４，５４，５４  間仕切り
５５，５５  間仕切り
５６，５６，…  スキー収納部
５７，５７，…  ボード収納部
【図１】
0004356821.tif 000002
【図２】
0004356821.tif 000003
【図３】
0004356821.tif 000004
【図４】
0004356821.tif 000005
【図５】
0004356821.tif 000006
【図６】
0004356821.tif 000007
【図７】
0004356821.tif 000008
【図８】
0004356821.tif 000009
【図９】
0004356821.tif 000010
【図１０】
0004356821.tif 000011
【図１１】
0004356821.tif 000012
【図１２】
0004356821.tif 000013